(57)【特許請求の範囲】
【請求項１】
炊飯加熱部を備えたベース部と、上記ベース部に着脱自在に載置され、内釜を収納し、回りに保温ヒータを備えたジャー部とからなり、上記ジャー部と上記ベース部とに、上記ジャー部を上記ベース部上へ定位置載置することにより互いに電気的接続される接続端子を各々設けて、上記接続端子を介して上記ベース部から上記ジャー部へ電源供給する保温炊飯器において、
上記ベース部に対して上記内釜が所定位置にセットされているか否かを検出する内釜検知手段と、
上記内釜検知手段の検出結果により、上記内釜が所定位置にセットされているときには上記ジャー部への電源供給ラインをＯＮし、上記内釜の無いときには上記ジャー部への電源供給ラインをＯＦＦする通電制御手段とを設けたことを特徴とする保温炊飯器。
【請求項２】
上記内釜検知手段は、上記内釜を収納した状態で上記ジャー部を上記ベース部に載置する際に、上記接続端子の接続後に上記内釜の所定位置へのセットが検出される関係位置に設けられることを特徴とする請求項１記載の保温炊飯器。
【請求項３】
上記内釜検知手段は、上記ジャー部を上記ベース部から離脱する際に、上記接続端子の接続が外される前に上記内釜の離脱が検出される関係位置に設けられることを特徴とする請求項１記載の保温炊飯器。
【発明の詳細な説明】
【０００１】
【産業上の利用分野】
本発明は保温炊飯器に関し、詳しくは内釜と保温ヒータとを備えたジャー部を電源供給するベース部に着脱可能とした保温炊飯器に関する。
【０００２】
【従来の技術】
ガス保温炊飯器では、内釜を備えた本体に、炊飯用のガスバーナと保温用のヒータとを設け、そこにガス管と電源コードをつないだ一体型のものが一般的である。
しかし、食卓等へ炊き上がった御飯を移動させる場合、別のジャーに移し替えたりする必要がある。
そこで、内釜を備えたジャー部を、ガスバーナやスイッチ等の操作部を備えたベース部から離脱可能とし、ジャー部のみを別体で移動できるようにした分離型が知られている（図６）。
しかし、こうした分離型は、ジャー部３へ差込プラグ５を設けて、これをベース部２に設けたコンセント５ａに接続する必要があるため、ベース部２からの離脱時に差込プラグ５を抜き差しする手間が生じ、これが使い勝手を阻害する。
そこで、本出願人は、ジャー部３をベース部２に、載置するだけで接触して電気的接続するガス保温炊飯器を提案している（図２）。
この分離型の保温炊飯器１では、ジャー部３をベース部２に定位置に載置することにより互いに接触し電気的接続する接続端子部１１を設け、ジャー部３へ設けた保温ヒータ（図略）への電源供給や温度制御を行い、差込プラグ５等の抜き差しによる接続の手間を不要とし、使い勝手の向上を図っている。
【０００３】
【発明が解決しようとする課題】
しかしながら、こうした分離型の保温炊飯器では、ジャー部３を離脱している場合に、ベース部２の接続端子部１１に通電された状態で待機しており、接続端子部１１を覆うシャッター２０を設けて感電を防止しているものの（図４）、子供のいたずら等でシャッター２０を無理に開けてしまった場合には、接続端子部１１の接点に触れて感電してしまう問題があった。
また、ベース部２にジャー部３を脱着する際に、接続端子部１０、１１が互いに接離する毎にアーク（電気的火花）を発生し、接続端子部１０、１１の接点を劣化して耐久性が劣ってしまう問題があった。
そこで、本発明の保温炊飯器は、上記課題を解決し、たとえベース部２の接続端子部１０、１１の接点に触れた場合であっても感電を防止すると共に、その接点におけるアークの発生を防止して耐久性を向上することを目的とする。
【０００４】
【課題を解決するための手段】
上記課題を解決する本発明の請求項１記載の保温炊飯器は、
炊飯加熱部を備えたベース部と、上記ベース部に着脱自在に載置され、内釜を収納し、回りに保温ヒータを備えたジャー部とからなり、上記ジャー部と上記ベース部とに、上記ジャー部を上記ベース部上へ定位置載置することにより互いに電気的接続される接続端子を各々設けて、上記接続端子を介して上記ベース部から上記ジャー部へ電源供給する保温炊飯器において、
上記ベース部に対して上記内釜が所定位置にセットされているか否かを検出する内釜検知手段と、
上記内釜検知手段の検出結果により、上記内釜が所定位置にセットされているときには上記ジャー部への電源供給ラインをＯＮし、上記内釜の無いときには上記ジャー部への電源供給ラインをＯＦＦする通電制御手段とを設けたことを要旨とする。
【０００５】
また、本発明の請求項２記載の保温炊飯器は、請求項１記載の保温炊飯器において、
上記内釜検知手段は、上記内釜を収納した状態で上記ジャー部を上記ベース部に載置する際に、上記接続端子の接続後に上記内釜の所定位置へのセットが検出される関係位置に設けられることを要旨とする。
【０００６】
また、本発明の請求項３記載の保温炊飯器は、請求項１記載の保温炊飯器において、
上記内釜検知手段は、上記ジャー部を上記ベース部から離脱する際に、上記接続端子の接続が外される前に上記内釜の離脱が検出される関係位置に設けられることを要旨とする。
【０００７】
上記構成を有する本発明の請求項１記載の保温炊飯器は、ベース部に対して内釜が所定位置にセットされているか否かを検出する内釜検知手段による検出結果により、通電制御手段が内釜が所定位置にセットされているときには、通電制御手段がジャー部への電源供給ラインをＯＮし、内釜の無いときにはジャー部への電源供給ラインをＯＦＦする。
つまり、ジャー部をベース部から離脱した場合、またはジャー部とベース部はそのままに内釜だけを取り出した場合に通電が停止されるので、たとえベース部の接続端子に触れることがあっても感電することはない。
その結果、保温炊飯器における安全性を向上することができる。
【０００８】
また、上記構成を有する本発明の請求項２記載の保温炊飯器は、請求項１記載の保温炊飯器において、内釜を収納した状態でジャー部をベース部に載置する際に、まず、接続端子が接続され、その後、内釜検知手段によって所定位置へのセットが検出され、内釜が有ると判定された場合には、通電制御手段がジャー部への電源供給ラインをＯＮする。
従って、接続端子への通電の際には、既に接続端子が接続されているので、接続端子間にアークが発生することはない。
その結果、接続端子の接点における耐久性が向上する。
【０００９】
また、上記構成を有する本発明の請求項３記載の保温炊飯器は、請求項１記載の保温炊飯器において、ジャー部をベース部から離脱する際に、まず、内釜検知手段によって所定位置へのセットが検出され、内釜が無いと判定された場合には、通電制御手段がジャー部への電源供給ラインをＯＦＦし、その後、接続端子の接続が外される。
従って、接続端子へ通電している状態で、接続端子の接続が外されることはないので、接続端子間にアークが発生することはない。
その結果、接続端子の接点における耐久性が向上する。
【００１０】
【発明の実施形態】
以上、説明した本発明の構成・作用を一層明らかにするために、以下本発明の保温炊飯器の好適な実施例について説明する。
図１および図２において保温炊飯器１は、炊飯加熱部を備えたベース部２と、そのベース部２と別体でベース部２上に着脱自在に載置されるジャー部３とからなる。
ベース部２には、ガス管４及び差込プラグ５が設けられると共に、燃料ガス供給路を開閉する元電磁弁２５と、メイン電磁弁２６と、燃料ガスの供給圧力を一定にするガスガバナ２７と、調節火力を制御する火力調節部２８と、ガスバーナ６と、点火用のイグナイター２９と、これらを制御するコントローラ４０とが設けられる。
また、ジャー部３には、米、水を収容する内釜８と、炊飯や保温時間等を設定する設定操作部７と、保温開始を指令する保温スイッチ７ａと、保温ヒータ９とが設けられる。
また、ベース部２の上面とジャー部３の下面には、後述する接続端子部１０、１１が各々設けられ、ジャー部３とベース部２とが定位置に載置された状態で、両接続端子部１０、１１が電気的接続され、炊飯や保温加熱のための電源供給および、温度制御等のための電気信号の受け渡しをする。
【００１１】
次に接続端子部１０、１１の詳細を図４、図５に示す。
尚、図５に示す（Ａ）は、ジャー部３がベース部２から離脱しているときの電源端子１５と端子板２３との遮断状態を示し、（Ｂ）は、各電源端子１５が端子板２３の接点２３ａに接触したときの状態を示し、（Ｃ）は、ジャー部３が定位置に載置されているときの接触状態を示している。
まず、ジャー部３側の接続端子部１０は、下側を開口したキャップ１４に、電源端子１５、１５と、温度制御用の通信端子１６、１６とが、開口１４ａ側へ向けて一列に配置される。
一方、ベース部２側の接続端子部１１は、角孔１９、１９・・を設けた細長のハウジング１８と、そのハウジング１８内で短手方向へ回動可能に軸支される細長曲面状のシャッター２０とを有し、ハウジング１８中央のスリット１８ａに、シャッター２０の中央に一体に設けられた曲面状のカム部２１が露出している。また、シャッター２０は、ハウジング１８内で回転可能に軸支されると共に、トルクバネ２２によって図５（Ａ）に示す右回転方向へ付勢され、角孔１９、１９・・を閉塞している。
更に、シャッター２０の内側には、各電源端子１５、通信端子１６と対応する端子板２３、２３・・が設けられ、角孔１９の真下に位置させている。また、この端子板２３、２３・・は、各電源端子１５、通信端子１６と接触する際に、余分なストロークを吸収できるように、弾性力をもたせてある。
【００１２】
尚、図２に示すように、接続端子部１０、１１は、ジャー部３における設定操作部７の真下方向に設けられる。これは、ベース部２へジャー部３を装着する際に、ハウジング１８を見易く、かつ、キャップ１４の開口１４ａをハウジング１８の外形に合致させ易くするために、正面に設ける設定操作部７の真下に相当する位置に設けられる。
【００１３】
次に、図１に示すガスバーナ６の中央部には、内釜８の温度を検出する円筒形状のセンサ部１２が設けられる。センサ部１２は、ガスバーナ６上に載せられた内釜８の釜底に当接するように押し付けばね３０で付勢され、上下にスライド可能に設けられる。センサ部１２の下部には円盤状の鍔部１３が一体に設けられ、内釜８が載置されてセンサ部１２が下方にスライドしたときに、その鍔部１３に押動されてＯＮ／ＯＦＦし、内釜８が載置されたか否かを検出する検出スイッチ２４が設けられる。
【００１４】
この検出スイッチ２４と接続端子部１０、１１（実際の電気接点は、電源端子１５と端子板２３間、通信端子１６と端子板２３間となるが、ジャー部３、ベース部２の接点の各々を、以下略して単に接続端子部１０、１１と呼ぶ。）との関係位置は、ジャー部３をベース部２に載置する際に、まず、接続端子部１０、１１が接続され、その後、センサ部１２が内釜８の底部に当接し、その鍔部１３が検出スイッチ２４をＯＮする関係位置に設けられる。
（尚、逆に言えば、この関係位置は、ジャー部３をベース部２から離脱する際に、まず、押し付けばね３０によりセンサ部１２が上方に移動して検出スイッチ２４をＯＦＦし、その後、接続端子部１０、１１の接続が遮断される関係位置であるとも云える。）
【００１５】
炊飯および保温を制御するコントローラ４０には、電源を各部に供給する電源部４０ａ、燃焼を制御する燃焼制御部４０ｂ、内釜８の有無を判定する内釜検出部４０ｃ、内釜８の釜底温度を判定して炊飯を制御する炊飯制御部４０ｄ、ジャー部３の保温ヒータ９へ通電して保温制御する保温制御部４０ｅが設けられる。
【００１６】
次に、炊飯完了後、保温制御におけるコントローラ４０の処理について、図３を用いて説明する。
保温炊飯器１に電源が投入されると、保温制御フローがスタートして（Ｓ１）、ジャー部３の設定操作部７における保温スイッチ７ａ（図略）がＯＮされるまで待機する（Ｓ２）。そして、保温スイッチ７ａがＯＮされると、まず、内釜８の有無を判定する（Ｓ３）。内釜８が無い場合にはそのまま待機し、内釜８が有ると判定された場合には、接続端子部１１、１０を経て保温ヒータ９に通電を開始し（Ｓ４）、保温が行なわれる。
保温中は（Ｓ６）、内釜８が離脱されるか否か（Ｓ５）、または設定操作部７における保温スイッチ７ａがＯＦＦされるか否か（Ｓ７）についての監視を続け、保温スイッチ７ａがＯＦＦまたは内釜８が離脱の場合には、ステップ８により直ちに接続端子部１１への通電を停止する。
【００１７】
以上により、検出スイッチ２４と接続端子部１０、１１との関係位置と、上述した保温制御フローとから、ジャー部３とベース部２との接続端子部１０、１１が接続された後に、内釜８が定位置に載置されたことを検出して接続端子部１１への通電が行われる。一方、内釜８が定位置から離脱されたことを検出して接続端子部１１への通電が停止された後、ジャー部３とベース部２との接続端子部１０、１１が遮断される。
【００１８】
従って、ジャー部３をベース部２から離脱した場合、あるいはジャー部３とベース部２はそのままに内釜８だけを取り出した場合であっても直ちに通電が停止されるので、たとえベース部２の接続端子部１１に触れることがあっても、その際には通電が停止されており、感電することはない。その結果、保温炊飯器１における安全性を向上することができる。
更に、ジャー部３をベース部２に載置する際に、まず、接続端子部１０、１１が接続され、その後、通電されるので、接続端子部１０、１１間にアークが発生することはない。また、ジャー部３をベース部２から離脱する際に、接続端子部１１への通電を停止後に、接続端子部１０、１１間の接続が遮断されるので、接続端子部１０、１１間にアークが発生することはない。
その結果、接続端子部１０、１１の接点における耐久性が向上する。
【００１９】
以上、本発明の実施例について説明したが、本発明はこうした実施例に何等限定されるものではなく、本発明の趣旨を逸脱しない範囲において、種々なる態様で実施し得ることは勿論である。
例えば、本実施例では、ガス炊飯による保温炊飯器１について説明したが、電気炊飯による保温炊飯器おける構成であっても適用可能である。
また、本実施例では、電源端子１５、１５における両方のラインと、温度制御用の通信端子１６、１６における両方のラインとがＯＮ／ＯＦＦされる構成として示したが、各々片方の電源端子１５または通信端子１６がＯＮ／ＯＦＦされる構成としても良い。この場合であっても、アークの発生がなくなり、接続端子部１０、１１の接点における耐久性が向上する。
【００２０】
【発明の効果】
以上詳述したように、本発明の請求項１記載の保温炊飯器によれば、ジャー部を載置していないときには、たとえ誤って接続端子に触れるようなことが有ったとしても、感電を防止して安全であるという優れた効果を奏する。
また、請求項２記載の保温炊飯器によれば、接続端子同士が接続された後に通電が開始されるので、アークが発生せず、接続端子の耐久性が向上する。
また、請求項３記載の保温炊飯器によれば、接続端子間の接続が遮断される前に通電が停止されるので、アークが発生せず、接続端子の耐久性が向上する。
【図面の簡単な説明】
【図１】本発明の実施例に係る保温炊飯器の概略図である。
【図２】本発明の実施例に係る保温炊飯器の分離状態を示す図である。
【図３】本発明の実施例に係る保温制御を示すフロー図である。
【図４】本発明の実施例に係る接続端子部の説明図である。
【図５】本発明の実施例に係る接続端子部の接続状態を示す図である。
【図６】従来の保温炊飯器の説明図である。
【符号の説明】
１    保温炊飯器
２    ベース部
３    ジャー部
８    内釜
９    保温ヒータ
１０    接続端子部
１１    接続端子部
１２    センサ部
１５    電源端子
１６    通信端子
２３    端子板
２４    検出スイッチ
４０    コントローラ
【図１】
0003577655.tif 000002
【図２】
0003577655.tif 000003
【図３】
0003577655.tif 000004
【図４】
0003577655.tif 000005
【図５】
0003577655.tif 000006
【図６】
0003577655.tif 000007